(57)【要約】【課題】  １つ又は複数の駐車場に関するデータを取得する。【解決手段】  １つ又は複数の駐車場におけるユーザ又は装置（１１４，１１５，１１８，１２０）は、情報を入力し、アップロードし、又は別のやり方で供給するためにインターフェース（１２４）にアクセスすることができる。駐車場は有人であっても無人であってもよく、また異なる駐車場は異なる構成又は装置（例えば、入口ゲート、出口ゲート、駐車券ディスペンサ、カードリーダ）を備えることができる。幾つかの実施形態では、異なる駐車場についてデータを入力又は供給する異なるユーザは、インターフェースの異なる機能にアクセスしてそれらを使用することができ、またインターフェースは異なる場所について異なる構成にすることができる。【選択図】        図１
2004326795.tif 000002
【特許請求の範囲】
【請求項１】
駐車場に関するデータを取得する方法であって、
駐車場に関連したデータを受け取るのに適したインターフェース（１２４）を設ける段階と、
前記インターフェースを介して、少なくとも１つの駐車場に関連したデータを受け取る段階と
を有している方法。
【請求項２】
前記インターフェースを介して、少なくとも１つの駐車場に関連したデータを受け取る前記段階は、前記少なくとも１つの駐車場に配置された装置から前記データを受け取る段階を含んでいる、請求項１記載の方法。
【請求項３】
更に、前記少なくとも２つの駐車場に関連したデータを中央位置（１７６０）に格納する段階を含んでいる請求項２記載の方法。
【請求項４】
前記インターフェースは、
前記少なくとも１つの駐車場についてなされたドロップの数を表すデータ、
前記少なくとも１つの駐車場に関連した収入を表すデータ、
前記少なくとも１つの駐車場に関連した無効駐車券の数を表すデータ、及び
前記少なくとも１つの駐車場に関連した保持駐車券の数を表すデータ
のうちの少なくとも１つを表すデータを受け取るように構成されている、請求項１記載の方法。
【請求項５】
前記インターフェースは、
前記少なくとも１つの駐車場について発行された駐車券の数、及び
前記少なくとも１つの駐車場で受け取った駐車券の数、
のうちの少なくとも１つを表すデータを供給するように構成されている、請求項１記載の方法。
【請求項６】
第１の駐車場に関連した第１の装置（１００）と、
前記第１の装置と通信関係にある第２の装置（１１６）とを有するシステム（１００）であって、
前記第１の装置が前記第２の装置によって提供されるインターフェースにアクセスでき、該インターフェースが前記第１の駐車場に関連したデータを受け取るように構成されていることを特徴とするシステム（１００）。
【請求項７】
更に、第２の駐車場に関連した第３の装置（１１８）を含んでおり、該第３の装置が前記インターフェースにアクセスでき、該インターフェースが前記第２の駐車場に関連したデータを受け取るように構成されている、請求項６記載のシステム。
【請求項８】
駐車場に関するデータを取得するシステム（１００）であって、
メモリ（１７６０）と、
通信ポート（１７５２）と、
前記メモリ及び前記通信ポートに接続されたプロセッサ（１７５０）であって、駐車場に関連したデータを受け取るのに適したインターフェース（１２４）を提供し、前記インターフェースを介して、少なくとも１つの駐車場に関連したデータを受け取るように動作するプロセッサ（１７５０）と
を有しているシステム（１００）。
【請求項９】
駐車場に関するデータを取得するためのコンピュータ読出し可能な媒体中のコンピュータ・プログラム製品であって、
駐車場に関連したデータを収集するのに適したインターフェースを具現化するための第１の命令と、
前記インターフェースを介して、少なくとも１つの駐車場を表すデータを取得するための第２の命令と、
を有しているコンピュータ・プログラム製品。
【発明の詳細な説明】
【技術分野】
【０００１】
本発明は駐車場に関するデータを取得するための方法及び装置に関するものである。
【背景技術】
【０００２】
１つ又は複数の駐車場の管理者は、このような駐車場について発行された駐車券、回収された駐車券、収入などに関する情報を収集することに関心があると考えられる。
【０００３】
そこで、１つ又は複数の駐車場に関するデータを収集する能力を備えた方法及び装置を提供することは好都合であろう。
【発明の開示】
【０００４】
本発明の実施形態では、１つ又は複数の駐車場に関するデータを取得するためのシステム、方法、装置、手段及びコンピュータ・プログラム・コードを提供する。本発明の実施形態によれば、１つ又は複数の駐車場に関する情報を入力したいユーザは、１つ又は複数の駐車場に関するデータを供給又は入力するためにユーザによって使用できるインターフェースにアクセスすることができる。幾つかの実施形態では、そのインターフェースは、複数の駐車場に接続されるか又はそれらと通信関係にあるウェブ・ページ又は何らかの他の資源の一部として設けることができる。幾つかの実施形態では、駐車場は駐車用建物、駐車用地域、或いは１つ又は複数の駐車用地点であるか、又はそれらを含むものであってよい。駐車場は有人でも無人であってもよく、また異なる駐車場は異なる構成又は装置（例えば、入口ゲート、出口ゲート、駐車券ディスペンサ、カードリーダ）を備えるようにすることができる。幾つかの実施形態では、異なる駐車場についてデータを入力又は供給する異なるユーザがインターフェースの異なる機能にアクセスして使用することができ、インターフェースは異なる駐車場では異なる構成にすることができる。
【０００５】
本発明の付加的な目的、利点及び新規な特徴は、一部は以下の説明に述べられ、また一部は以下の説明を調べることにより当業者には明らかなり、或いは本発明の実施により習得されよう。
【０００６】
本発明の幾つかの実施形態によれば、駐車場に関するデータを取得する方法は、駐車場に関連したデータを受け取るようのに適したインターフェース（例えば、ウェブ・ページ又はウェブ・サイト）を設ける段階と、インターフェースを介して、少なくとも１つの駐車場に関連したデータを受け取る段階とを含むことができる。他の幾つかの実施形態では、駐車場に関するデータを取得する方法は、駐車場に関連したデータを受け取るのに適したインターフェースを設ける段階と、インターフェースを介して、少なくとも２つの駐車場に関連したデータを受け取る段階と、該データの少なくとも一部分を格納する段階とを含むことができる。更に別の幾つかの実施形態では、駐車場に関するデータを取得する方法は、駐車場に関連した識別子を決定する段階と、少なくとも部分的に識別子に基づいて、駐車場に関連したデータを受け取るのに適したインターフェースを構成する段階と、インターフェースにアクセスする段階と、インターフェースを介して、駐車場に関連したデータを受け取る段階とを含むことができる。本発明の幾つかの実施形態では、ここに開示した各々の方法はシステム、装置、コンピュータ・コード又は他の手段によって具現化することができる。
【０００７】
本発明のこれらの又は他の利点及び特徴は以後明らかとなるが、本発明の性質は、本発明についての以下の詳細な説明、特許請求の範囲、及び添付の図面を参照することによってより一層明確に理解することができよう。
【０００８】
添付の図面は、本明細書に組み込まれて本明細書の一部を形成するが、本発明の好ましい実施形態を例示しており、また本明細書と共に本発明の原理を説明するのに役立つ。
【発明を実施するための最良の形態】
【０００９】
本出願人は、１つ又は複数の駐車場についての収入、駐車券、ドロップ(drop)などに関連したデータを取得できるようにするシステム、手段、コンピュータ・コード、及び方法について販売の機会があることを認識している。
【００１０】
本発明の実施形態では、このような能力を提供するため、１つ又は複数の駐車場に関するデータを受け取るために使用できるインターフェースを設ける。１つ又は複数の駐車場におけるユーザ又は装置が、情報を入力し、アップロードし、又は別の方法で供給するためにインターフェースにアクセスすることができる。幾つかの実施形態では、駐車場は駐車用建物、駐車用地域、或いは１つ又は複数の駐車用地点であるか、或いはそれらを含むことができる。駐車場は有人でも無人であってもよく、また異なる駐車場は異なる構成又は装置（例えば、入口ゲート、出口ゲート、駐車券ディスペンサ、カードリーダ）を備えるようにすることができる。幾つかの実施形態では、異なる駐車場についてデータを入力又は供給する異なるユーザがインターフェースの異なる機能にアクセスして使用することができ、インターフェースは異なる駐車場では異なる構成にすることができる。これらの及び他の特徴は、本発明の実施形態によるシステム、コンピュータ・コード、個別の装置及び方法を説明することによって更に詳しく以下に検討する。
【００１１】
［システム］
ここで図１を参照して説明すると、本書で開示する方法を使用できる装置又はシステム１００が例示されている。システム１００は本発明を使用できるシステムの一構成を一般的に表しており、その他の構成又は設計もまた使用することができる。
【００１２】
システム１００は、通信ネットワーク１０８に接続することのできる複数の駐車場１０２，１０４，１０６を含んでおり、通信ネットワーク１０８自体はサーバー又は他の装置１１０に接続されるか又はそれと通信関係にある。より詳しく述べると、ユーザ装置１１４が駐車場１０２に配置され又はそれに関連し、ユーザ装置１１６が駐車場１０４に配置され又はそれに関連し、またユーザ装置１１８，１２０が駐車場１０６に配置され又はそれに関連しており、これらのユーザ装置は通信ネットワーク１０８を介してサーバー１１０と通信することができると共に、駐車場データをサーバー１１０へ供給することができる。サーバー１１０は遠隔の又は近くのデータベース（例えば、データベース１２１）内のデータの一部又は全てを記憶することができる。その上、幾つかの実施形態では、サーバー１１０は駐車場データの一部又は全てを他の装置（例えば、管理者装置１２２）又はアプリケーション（例えば、アプリケーション１２４）へ供給することができ、及び／又はこのような装置又はアプリケーションがデータベース１２１内のデータにアクセスできるようにすることができる。例えば、アプリケーション１２４は、サーバー１１０によって得られたデータを検討し分析して、１つ又は複数の駐車場についての収入、支出、利用状況、交替勤務時間割当てなどに関するレポートを作るために使用できる分析ソフトウエア、レポート作成ソフトウエアなどを含むことができる。
【００１３】
幾つかの実施形態では、サーバー１１０は、ユーザ装置１１４，１１６，１１８，１２０を介してアクセスできるウェブ・サイト又はその他の電子的資源を具現化し又はホスティング（主催）することができる。幾つかの実施形態では、サーバー１１０は、単一の装置又はコンピュータ、ネットワーク接続された一組又は一群の装置又はコンピュータ、メインフレーム又はホスト・コンピュータ、ワークステーションなどで構成してもよい。幾つかの実施形態では、サーバー１１０はまたデータベース・サーバー及び／又はユーザ装置として機能し、及び／又は駐車場に配置することができる。
【００１４】
ユーザ又は顧客装置１４，１１６，１１８，１２０は、エンティティをサーバー１１０及びシステム１００の残りの構成要素と相互作用させることができる。ユーザ装置１１４，１１６，１１８，１２０はまた、サーバー１１０によってホスティングされ又は作動されるウェブ・サイト、ソフトウエア、データベースなどにユーザをアクセス可能にすることができる。考えられるユーザ装置としては、パーソナル・コンピュータ、携帯型コンピュータ、移動式又は固定式ユーザ・ステーション、ワークステーション、ネットワーク端末又はサーバー、携帯電話、公衆電話、ダム端末、携帯情報端末などが挙げられる。幾つかの実施形態では、１つ又は複数のユーザや１つ又は複数のユーザ装置に関する情報を、ユーザ情報データベース及び／又はユーザ装置情報データベースに格納するか又はそれらから呼び出すことができる。また、幾つかの実施形態では、システム１００は、駐車場に配置されていない１つ又は複数のユーザ装置を含むことができる。
【００１５】
多数の異なる種類の具現化手段又はハードウエア／ソフトウエア構成をシステム１００内で本書に開示した方法に使用することができ、また本書に開示した方法はシステム１００又はそのいずれの構成要素についての如何なる特定のハードウエア／ソフトウエア構成にも限定されない。
【００１６】
通信ネットワーク１０８は、インターネット、ワールドワイドウェブ、或いはその他の公開の又は非公開のコンピュータ、ケーブル、電話、クライアント／サーバー、ピア・ツー・ピア、又は通信ネットワークやイントラネットであるか又はそれらを含んでいてよい。図１に示されている通信ネットワーク１０８は、本発明の詳述及び説明を目的としてケーブル、コンピュータ、電話、ピア・ツー・ピア、又はその他の通信ネットワークを一般的に表しているに過ぎないものであり、その他の装置、ネットワークなども本発明の範囲から逸脱することなく通信ネットワーク１０８に接続することができる。幾つかの実施形態では、通信ネットワーク１０８は、その他の公開及び／又は非公開のワイド・エリア・ネットワーク、ローカル・エリア・ネットワーク、無線ネットワーク、データ通信ネットワーク又は接続、イントラネット、ルータ、衛星リンク、マイクロ波リンク、携帯又は電話回線、無線リンク、光ファイバ伝送線路、ＩＳＤＮ線路、Ｔ１線路、ＤＳＬなどを含むことができる。幾つかの実施形態では、１つ又は複数のユーザ装置は、本発明の範囲から逸脱することなく、サーバー１１０に直接接続することができる。更に、本書で使用する「通信」とは、有線又は無線技術によって可能であるものを含む。図１に示されている装置は常に通信状態にある必要はない。例えば、ユーザ装置はサーバー１１０との通信を、それが適切なとき又は必要なときのみ行うことができる。
【００１７】
［方法］
ここで図２を参照して説明すると、図２には本発明の第１の実施形態の動作を表すフローチャート２００が示されている。フローチャート２００内の要素の特定の配列は各段階の順序を固定することを意味するものではない。本発明の実施形態は実行可能である任意の順序で実施できる。幾つかの実施形態では、方法２００の一部の段階又は全ての段階を、以下により詳しく説明するようにサーバー１１０によって行うことができる。
【００１８】
処理は段階２０２で始まり、その段階ではサーバー１１０が１つ又は複数の駐車場に関する又は関連したデータを収集し、受け取り、又は別のやり方で取得するために使用できるインターフェースを構成する。段階２０４では、サーバー１１０はインターフェースを介してデータを受け取る。幾つかの実施形態では、データは駐車場に配置されたユーザ装置から及び／又は１つ又は複数の駐車場のためにデータを供給するユーザ装置から受け取ることができる。一つの可能性のあるインターフェースについて後でより詳しく考察する。
【００１９】
ここで図３を参照して説明すると、図３には本発明の第２の実施形態の動作を表すフローチャート２２０が示されている。フローチャート２２０内の要素の特定の配列は各段階の順序を固定することを意味するものではない。本発明の実施形態は実行可能である任意の順序で実施できる。幾つかの実施形態では、方法２２０の一部の段階又は全ての段階を、以下により詳しく説明するようにサーバー１１０によって行うことができる。
【００２０】
方法２２０は前に説明した段階２０２を含む。更に、方法２２０は段階２２２を含み、段階２２２では、サーバー１１０がインターフェースを介して２つ以上の駐車場に関連したデータを収集し、受け取り、又は別のやり方で取得する。段階２２４では、サーバー１１０が１つ又は複数の中央位置（例えば、データベース１２１）にデータを格納する。段階２２６では、サーバー１１０がデータの一部又は全てへのアクセスを可能にする。例えば、サーバー１１０は、アプリケーション１２４がデータベース１２１に対して検索や問合せを行い、又は別のやり方でアクセスして、データの一部又は全てを取得するのを可能にすることができる。別の例として、サーバー１１０はデータの一部又は全てを装置１２２へ送ることができる。
【００２１】
ここで図４を参照して説明すると、代表的な画面又はパネル２５０が例示されており、これは、本発明のシステム及び方法で使用することができると共に、サーバー１１０によって表示され又は提供されるインターフェース内に含むか又はインターフェースにより具現化することができる。サーバー１１０は、ユーザ装置によってアクセスできるウェブ・ページやその他の電子的資源の一部として画面２５０を提供することができる。図４に示されているように、画面２５０は現在の日付（例えば、２００３年２月１日）に関する情報、並びに選択可能又はクリック可能なリンク「Enter Cash Receipts （現金受領を入力）」２５２、「Enter Cashier Report（現金出納係レポートを入力）」２５４、「Look Up Cashier Report（現金出納係レポートを調査）」２５６、「Daily Reconciliation（毎日の調整）」２５８、「Maintain Product Pricing（商品価格設定を保全）」２６０及び「Set Up Location（場所を設定）」２６２を含んでいる。
【００２２】
画面２５０は、月極め駐車利用者及び一日（又は「一時的」とも呼ぶ））駐車利用者に関する情報が提供される様にすることができる。例えば、リンク「Enter Cash Receipts （現金受領を入力）」をクリックすることにより、ユーザが１つ又は複数の月極め駐車利用者に関するデータを供給できるようにし、及び／又はサーバー１１０に１つ又は複数のインターフェース画面、ページ、ウィンドウなどを表示、供給又はダウンロードさせることができる。
【００２３】
ユーザが「Enter Cashier Report（現金出納係レポートを入力）」リンク２５４を選択又はクリックすることにより、サーバー１１０に、図５に示されている「CASHIER'S REPORT-DROPS（現金出納係レポート−ドロップ）」画面、パネル又はウィンドウ３００を表示、供給、処理又はダウンロードさせることができる。画面３００は、ユーザが駐車場に関する情報、駐車場における特定の交替勤務時間、駐車ステーションにおける特定の出口ステーション、駐車場における特定の現金出納係又は他の従業員などを入力又は供給できる幾つかのテキスト・ブロックを含むことができる。例えば、ユーザは、関心のある駐車場の識別子をテキスト・ブロック３０２に、関心のある日付をテキスト・ブロック３０４に、関心のある交替勤務時間をテキスト・ブロック３０６に、関心のある出口ステーションをテキスト・ブロック３０８に、関心のある現金出納係番号をテキスト・ブロック３１０に、関心のある現金出納係氏名をテキスト・ブロック３１２に、及び／又はレポート識別子をテキスト・ブロック３１４に入力することができる。
【００２４】
別の例として、画面３００は、ユーザがテキスト・ボックス３３２で確認された人物にからテキスト・ボックス３３４で確認された人物へ与えられたような、指定時刻（例えば、一日の始め、特定の交替勤務時間の開始）における手持ちの現金額を表すデータを入力又は供給できるテキスト・ブロック３３０を含むことができる。画面３００はまた、他の情報を入力できる追加のテキスト・ブロック３３６，３３８を提供することができる。
【００２５】
図５に例示されているように、画面３００は、「DROP（ドロップ）」ボタン３５０、「REVENUE （収入）」ボタン３５２、「OVER/UNDER RINGS（過大／過小記録）」ボタン３５４、「COUNTERS（カウンタ）」ボタン３５６、「VOIDED TICKETS（無効駐車券）」ボタン３５８、「HOLD TICKETS（保持駐車券）」ボタン３６０、及び「RECAP （要約）」ボタン３６２を含む。画面３００は「DROPS （ドロップ）」モードで動作している。ユーザは他のボタン３５２，３５６，３５８，３６０、３６２のいずれかを選択又はクリックすることによって他のモードへ切り換えることができる。ドロップ(drop)とは、ブロック３１０，３１２で確認される現金出納係によって行われた銀行預金を表しており、現金、小切手、クレジットカードなどによってなされた支払いを含むことができる。
【００２６】
「DROPS （ドロップ）」モードにある間、画面３００は表３６４，３６５，３６６を表示することができる。表３６６は表３６４及び３６５にユーザによって供給されるような合計総括情報を含んでいる。
【００２７】
ユーザは、（ブロック３０６で確認されるような）交替勤務時間「２」の間に（ブロック３０８で確認されるような）出口ステーション「２」で行われる各々のドロップについて預金識別情報、小切手情報及び金額情報をボックス３６４内に入力又は供給することができる。例えば、現金出納係「Warren Oately 」は現金及び小切手を２回預金している。「１２３４５」として識別される預金は小切手を含んでいて、総額は２５．００ドルである。「４３２１２」として識別される預金は小切手を含まず、総額は２４５．００ドルである。もしユーザが表３６４で追加のドロップに関する情報を付加する必要がある場合、ユーザはボタン３６７を選択又はクリックすることができ、これにより表３６４に別つの行が追加される。
【００２８】
クレジットカード又はその他の受け入れられる種類の信用取引カード、デビットカード、商業者ブランドのカード等に基づいたドロップについて、ユーザは表３６５を介して、各ドロップに関連したバッチ識別子、各ドロップに関連したクレジットカードの種類、該ドロップに含まれているクレジットカード決済の数、及び該ドロップの合計金額を含む情報を入力又は供給できる。例えば、バッチ識別子「７１００３４」を持つクレジットカードのドロップは、クレジットカードＶＩＳＡ（商標）を使用して行った３回の決済を含んでおり、その合計金額は７５．００ドルである。もしユーザが表３６５で追加のドロップに関する情報を付加する必要がある場合、ユーザはボタン３６８を選択又はクリックすることができ、これにより表３６５に別の行が追加される。
【００２９】
画面３００はまた、選択可能な又はクリック可能な「BACK（戻り）」ボタン３７０、「NEXT（次へ）」ボタン３７２、「FINISH（終了）」ボタン３７４及び「CANCEL（取り消し）」ボタン３７６を含むことができる。「BACK（戻り）」ボタン３７０を選択又はクリックすることにより、サーバー１１０に、以前のウェブ・ページ、画面又はウィンドウ、例えば、画面２５０を供給、処理又は表示させることができる。「NEXT（次へ）」ボタン３７２を選択又はクリックすることにより、サーバー１１０に、次のウェブ・ページ、画面又はウィンドウ、例えば、収入を対象とするウェブ・ページ、画面又はウィンドウを供給、処理又は表示させることができる。「FINISH（終了）」ボタン３７４を選択又はクリックすることにより、サーバー１１０に、ユーザが画面３００を終了したと想定させ、或いはサーバー１１０に別のウェブ・ページ、画面又はウィンドウを表示、処理又は供給させ、或いはサーバー１１０に画面３００を終了させ、或いはサーバー１１０に何らかの他の指定された活動を開始又は実行させることができる。「CANCEL（取り消し）」ボタン３７６を選択又はクリックすることにより、サーバー１１０に、画面３００を使用してユーザによって入力されたデータの一部又は全てをクリア又はリセットさせることができる。
【００３０】
ユーザが「REVENUE （収入）」ボタン３５２を選択することにより、サーバー１１０に、図６に例示されているように、「CASHIER'S REPORT-REVENUE（現金出納係レポート−収入）」画面、ウェブ・ページ、パネル又はウィンドウ４００を表示、処理又は供給させることができ、この画面４００は駐車場についての収入に関する情報を入力又は供給するためにユーザによって使用することができる。例えば、画面４００は、ユーザが異なる駐車商品について駐車券の数に関する情報を入力できる表４０２を含むことができる。それらの駐車商品の各々は、関連した料金率(rate)、また駐車券が別のソース（例えば、駐車場近くの商店）によって有効にされたか否かに拘わらず、商品代金の支払いのために駐車利用者によって用いられる支払い方法（例えば、現金、クレジットカード、駐車場によって発行された駐車カード又は駐車代金の支払いのために駐車場で使用する別のエンティティ、掛け売り勘定）等を有する。「分割 (split)」駐車券は、表４０２中の他の２つの商品の間で分割される料金率を持つ駐車券とすることができる。
【００３１】
図６に例示されているような、画面、ウェブ・ページ、ウィンドウ又はパネル４００の使用例では、「Phil Jackson」という名前の現金出納係が２００３年１月１２日に出口ステーション「２」で交替勤務時間「２」で働いている。この現金出納係のこの交替勤務時間中に、合計５３枚の駐車券が現金出納係によって収集されており、そのうちの１０枚は２５ドルの駐車料金率に関連している。それらの１０枚の駐車券のうち、６枚は総額１５０．００ドルが現金で支払われており、４枚は総額１００．００ドルが駐車カードで支払われている。別の例として、５３枚の駐車券のうちの７枚が２７ドルの駐車料金率に関連している。これらの７枚の駐車券のうち、４枚は総額１０８．００ドルが現金で駐車利用者によって支払われており、３枚は総額８１．００ドルが駐車場に関連した掛け売り勘定にして駐車利用者によって支払われている。表４０２はまた、支払い方法の各種類毎に収集された合計金額及び異なる支払い方法についてのドロップの総数に関する情報を含んでいる。もしユーザが追加の駐車商品を識別するためにより多くの行を付加する必要がある場合、ユーザはボタン４０４をクリック又は選択することができ、これにより表４０２に別の行が付加される。
【００３２】
ユーザが「OVER/UNDER RINGS（過大／過小記録）」ボタン３５４を選択することにより、サーバー１１０に、図７に例示されているように、「CASHIER'S REPORT-OVER/UNDER RINGS （現金出納係レポート−過大／過小記録）」画面、ウェブ・ページ、パネル又はウィンドウ５００を表示、処理又は供給させることができる。この画面５００は、駐車場に関連した過大及び／又は過小記録に関する情報を入力又は供給するためにユーザによって使用することができる。過大又は過小記録は、駐車場の売り場装置（例えば、金銭出納器）に不正確な金額が入力された処理であり、これは画面５００を介して是正することができる。例えば、画面５００は、ユーザが１つ又は複数の過大及び／又は過小記録に関する情報を入力又は供給できる表５０２を含むことができる。例えば、表５０２内の駐車券番号「２３４１２」は５ドルの金額だけ過大記録であり、駐車券番号「５９０３８」は４ドル５０セントの金額だけ過小記録である。もしユーザが追加の過大又は過小記録を確認するためにより多くの行を付加する必要がある場合、ユーザはボタン５０４を選択又はクリックすることができ、これにより表５０２に別の行が付加される。
【００３３】
ユーザが「COUNTERS（カウンタ）」ボタン３５６を選択することにより、サーバー１１０に、「CASHIER'S REPORT-COUNTERS （現金出納係レポート−カウンタ）」画面、ウェブ・ページ又はウィンドウ６００を表示、処理又は供給させることができる。この画面６００は、駐車場の出口ステーションで利用可能なカウンタの種類に関する情報を入力又は供給するためにユーザによって使用することができる。カウンタは、駐車場の出口ステーションにおいて駐車場に出入りする車両を計数するセンサ、スイッチ、ゲート又はその他の装置や電気構成要素であるか、或いはそれらを含むことができる。画面６００は、ユーザがこのようなカウンタに関する情報を入力又は供給することを可能にする表６０２を含むことができる。例えば、表６０２に例示されているように、ユーザは出口ステーション「２」について異なる種類のクロージング・カウンタ（すなわち、ループ、ゲート、レジスタ）及びオープニング・カウンタ（すなわち、ループ、ゲート、レジスタ）の数を入力することができる。
【００３４】
ユーザが「VOIDED TICKETS（無効駐車券）」ボタン３５８を選択することにより、サーバー１１０に、「CASHIER'S REPORT-VOIDED TICKETS （現金出納係レポート−無効駐車券）」画面、ウェブ・ページ又はウィンドウ７００を表示、処理又は供給させることができる。この画面７００は、駐車場における現金出納係によって無効駐車券に関する情報を入力又は供給するためにユーザによって使用することができる。画面７００は、このような情報を供給できる表７０２を含むことができる。ユーザは、無効にされた駐車券の数及び無効のための理由を入力することができる。例えば、表７０２に例示されているように、３枚の駐車券はそれが従業員に帰属していたので無効にされ、１枚の駐車券は許可証を持っていなかった月極め駐車利用者によって使用されたので無効にされ、１枚の駐車券は人が実際に駐車場に駐車しなかったので（すなわち、人が車で駐車場に進入して出て行ったので）無効にされ、２枚の駐車券は駐車場による宣伝又は駐車場が参加した宣伝の一部として無効にされ、４枚の駐車券はそれらが損傷しているので無効にされ、２枚の駐車券は駐車利用者が駐車料金の支払いを行わない何らかの特権を使用したので無効にされている。
【００３５】
ユーザが「HOLD TICKETS（保持駐車券）」ボタン３６０を選択することにより、サーバー１１０に、「CASHIER'S REPORT-HOLD TICKETS （現金出納係レポート−保持駐車券）」画面、ウェブ・ページ又はウィンドウ８００を表示、処理又は供給させることができる。画面８００は、駐車場における保持駐車券に関する情報を入力又は供給するためにユーザによって使用することができる。「保持駐車券」は、交替勤務時間中に戻らない駐車利用者に該交替勤務時間中に分配又は供給された駐車券である。すなわち、駐車利用者が或る交替勤務時間中に駐車場に入り、別の交替勤務時間中に駐車場から出て行く場合である。表８０２に例示されているように、６枚の駐車券は現在の交替勤務時間中に発行されたが、未だ回収されていないと確認される。もしユーザが追加の保持駐車券を確認するためにより多くの行を付加することが必要である場合、ユーザはボタン８０４を選択又はクリックすることができ、これにより表８０２に別の行が付加される。
【００３６】
ユーザが「RECAP （要約）」ボタン３６２を選択することにより、サーバー１１０に、「CASHIER'S REPORT-RECAP （現金出納係レポート−要約）」 画面、ウェブ・ページ又はウィンドウ９００を表示、処理又は供給させることができる。画面９００は、駐車場に関する総括情報を観察し又は供給するためにユーザによって使用することができる。例えば、画面９００は、ユーザが駐車場の出口ステーション「２」に関する情報を入力できる表９０２を含むことができる。表９０２に例示されているように、出口ステーション「２」は１０５３枚の駐車券を発行していると共に、以前の交替勤務時間からの１１枚の保持駐車券を持っており、発行済み駐車券は全部で１０６４枚である。その上、出口ステーション「２」は、受け取った１０５１枚の収入駐車券、及び５枚の無効駐車券を持つていると共に、交替勤務時間の終わりにおいて現在８枚の保持駐車券を持っている。画面９００はまた、出口ステーション「２」において交替勤務時間中に生じたドロップ総額（例えば、４５９．００ドル）及び出口ステーション「２」において交替勤務時間中に収集された総収入（例えば、７５９．５０ドル）に関する情報を含んでいる表９０４を含むことができる。
【００３７】
図４の画面２５０を再び参照して説明すると、ユーザは「Look Up Cashier Report（現金出納係レポートを調査）」リンク２５６を選択又はクリックすることができる。これに応答して、サーバー１１０は、画面３００，４００，５００，６００，７００，８００，９００に提供されるオプション及び／又は情報の一部又は全てを含むウェブ・ページ、画面又はウィンドウを供給、表示又は処理することができる。サーバー１１０がこのような画面又は情報にアクセスを行う前に、ユーザに対しては日付、パスワード、従業員番号などを供給するように催促することができる。
【００３８】
もしユーザが画面２５０上の「Daily Reconciliation（毎日の調整）」リンク２５８を選択又はクリックした場合、サーバー１００は図１２に例示されているような画面、ウィンドウ又はパネル１１００を供給、処理又は表示することができる。画面１１００は駐車場について開いている日に関する日付又はその他の情報（例えば、01/23/2003）を含むことができると共に、ユーザが駐車場を一日「打ち切り」にし、画面３００，４００，５００，６００，７００，８００，９００を介してユーザによって供給された情報を承認すること可能にすることができる。開いている日付のエントリー（例えば、01/23/2003）をクリック又は選択することにより、サーバー１１００に、２００３年２月１０日についての図１３の画面、ウェブ・ページ、ウィンドウ又はパネル１２００によって例示されているように、駐車場のその日付についての総括画面を提示又は表示させることができる。このような総括情報は、その日の始めからの発行された駐車券、受け取った駐車券、保持されている駐車券などに関する情報を含むことができる。
【００３９】
画面１２００は、駐車場「８５５５−シカゴ」について進入車線「１」及び進入車線「２」によって発行された駐車券に関する情報をそれぞれ表示するための表１２０２及び１２０４を含むことができる。表１２０５は、異なる交替勤務時間の間に受け取った収入駐車券、保持駐車券、無効駐車券などに関する情報を表示する。表１２０６は、２００３年２月１０日における駐車場についての現金及びクレジットカードのドロップ、駐車券収入、非駐車券収入などに関する情報を表示する。表１２０８は、２００３年２月１０日における駐車場についての異なる交替勤務時間及び／又は現金出納係レポートに関する情報を含んでおり、それらは承認することができる。例えば、チェック・ボックス１２０９は２００３年２月１０日における車線(Lane)１，交替勤務時間(Shift) １についての現金出納係レポートの承認を指示し、これは「APPROVE REPORTS （レポートを承認）」ボタン１２１０を選択又はクリックすることによって提出又は確認できる。ユーザがリンク「02/10/2003-Lane 1, Shift 1」を選択又はクリックすることにより、サーバーに画面３００，４００，５００，６００，７００，８００，９００のうちの１つ又は複数及び２００３年２月１０日の駐車場「８５５５−シカゴ」に関連した情報を表示させて、ユーザがそれらの画面を介して以前に入力した情報を見ることができるようにすることができ、該情報は画面１２００に表示される情報についての根拠を形成する。
【００４０】
図４の画面２５０を再び参照して説明すると、ユーザは「Set Up Location （場所を設定）」リンク２６２を選択又はクリックすることができる。これに応答して、サーバー１１０は、図１４に例示されているように、画面３００，４００，５００，６００，７００，８００，９００がこれらの画面を使用して特定の駐車場に関する情報を入力又は供給するユーザに対して表示され又は現れる構成をユーザが設定できるようにするウェブ・ページ、画面又はウィンドウ１３００を供給、表示又は処理することができる。更に、画面１３００は、他の画面、インターフェースの他の部分などで使用することのできる駐車割当てに関する情報をユーザが供給できるようにすることができる。
【００４１】
画面１３００は、駐車場の位置及び住所に関する情報並びに該情報を入力している日付を画面１３００のユーザが入力又は供給できるテキスト・ブロック１３０２，１３０４，１３０６，１３０８，１３１０，１３１２を含んでいる。更に、画面１３００は、場所のテキスト・ブロック１３０２で確認される駐車場に関連した職員に関する情報を画面１３００のユーザが入力又は供給できるテキスト・ブロック１３１４，１３１６を含むことができる。
【００４２】
画面１３００は、画面のユーザが他の画面にアクセスできるようにする複数の選択可能なボタン１３３０，１３３２，１３３４，１３３６，１３３８，１３４０，１３４２を含むことができる。「GENERAL （概要）」ボタン１３３０を選択又はクリックすることにより、画面１３００を表示させることができる。画面１３００により、ユーザはブロック１３０２で確認される駐車場（例えば、「８５５５−シカゴ」）に関する全般的情報、例えば、契約の種類、動作モデル、開始又は始業時刻、終了又は終業時刻、地方時間帯、駐車場の駐車容量などを供給することが可能になる。ユーザはまた、総括表が利用可能であるか否かを指示できるようにすることができ、総括表は駐車場に関する追加の情報を含むか又は供給することができる。画面１３００はまた、ユーザがそれぞれ画面１３００を介して行われ又は入力された変更をそれぞれ保存又は破棄することを可能にする「Save Changes（変更を保存）」ボタン１３７０及び「Discard Changes （変更を破棄）」ボタン１３７２を含むことができる。
【００４３】
ユーザが「PANELS（パネル）」ボタン１３３２を選択することにより、図１５に例示されているように、ユーザが特定の駐車場に関する情報を供給しようとしているときに、ボタン「DROPS （ドロップ）」３５０、「REVENUE （収入）」３５２、「OVER/UNDER RINGS（過大／過小記録）」３５４、「COUNTERS（カウンタ）」３５６、「VOIDED TICKETS（無効駐車券）」３５８、「HOLD TICKETS（保持駐車券）」３６０及び／又は「RECAP （要約）」３６２のうちのどれを画面３００，４００，５００，６００，７００，８００，９００ 上に表示すべきかを指示するためにユーザによって使用することができる「LOCATION MAINTENANCE-PANELS（駐車場メインテナンス−パネル）」画面、ウェブ・ページ、パネル又はウィンドウ１４００をサーバー１１０に表示、処理又は供給させることができる。結果として、  画面１４００のユーザは、現金出納係レポートを入力する人物が画面３００，４００，５００，６００，７００，８００，９００を観察又は使用できるか否かを決定できる。例えば、画面１４００はブロック１３０２で「８５５５−シカゴ」として識別される駐車場に関する情報を入力するために使用されていて、画面３００，４００，５００，６００，７００，８００，９００についてのパネル又はボタンの構成及び画面３００，４００，５００，６００，７００，８００，９００の利用可能性が決定される表１４０２を含んでいる。図２に例示されているように、ボタン３５０，３５２，３５４，３５６，３５８、３６０，３６２の全てが表示するように構成されていて、画面３００，４００，５００，６００，７００，８００，９００上で利用可能である。結果として、画面３００，４００，５００，６００，７００，８００，９００の各々はまた、ユーザが「８５５５−シカゴ」として識別された駐車場に関する情報を入力するときに使用するために利用可能である。異なる駐車場は異なる構成及び／又はそれらに関連した異なる画面及び特徴を有することができる。
【００４４】
ユーザが「STATIONS/SHIFTS （ステーション／交替勤務時間）」ボタン１３３４を選択することにより、図１６に例示されているように、駐車場についての入口及び出口ステーションの数及び位置並びに交替勤務時間の数及び長さを指示するためにユーザによって使用することができる「LOCATION MAINTENANCE-STATIONS/SHIFTS（駐車場メインテナンス−ステーション／交替勤務時間）」画面、ウェブ・ページ、パネル又はウィンドウ１４５０をサーバー１１０に表示、処理又は供給させることができる。例えば、画面１４５０は、画面１４５０のユーザがブロック１３０２で「８５５５−シカゴ」として識別される駐車場についての入口ステーションの数及びそれらの詳細に関する情報を入れることができる表１４５２を含んでいる。もしユーザが表１４５２に一層多くの行を付加する必要がある場合、ユーザはボタン１４５４を選択又はクリックすることができ、これにより表１４５２に別の行が付加される。ユーザはまた、表１４５２の「Del.（削除）」欄にエントリーを作り又は選択することによって、表１４５２の中のエントリー／行を削除することができる。
【００４５】
画面１４５０はまた、画面１４５０のユーザがブロック１３０２で「８５５５−シカゴ」として識別された駐車場についての出口ステーションの数及びそれらの詳細に関する情報を入れることができる表１４５６を含んでいる。もしユーザが表１４５６に一層多くの行を付加する必要がある場合、ユーザはボタン１４５８を選択又はクリックすることができ、これにより表１４５６に別の行が付加される。ユーザはまた、表１４５６の「Del.（削除）」欄にエントリーを作り又は選択することによって、表１４５６の中のエントリー／行を削除することができる。
【００４６】
画面１４５０はまた、ユーザがブロック１３０２で「８５５５−シカゴ」として識別される駐車場についての交替勤務時間の数、それらの開始時刻、それらの終了時刻などに関する情報を入力又は供給することのできる表１４７０を含むことができる。例えば、表１４７０は、表１４５６中に「Exit 1（出口１）」として識別された出口ステーションについての交替勤務時間情報に関する情報を含んでいる。ユーザは、ボタン１４７４を選択することによって出口ステーションの「Exit 1（出口１）」に追加の交替勤務時間を付加し、「CREATE（作成）」ボタン１４７６を選択することによって新しい交替勤務時間の追加を確認することができる。ユーザは、ボタン１４７８を選択又はクリックすることによって、表１４７０中に供給された情報を取り消し又はリセットすることができる。
【００４７】
ユーザが「CREDIT CARDS（クレジットカード）」ボタン１３３６を選択することにより、図１７に例示されているように、ブロック１３０２で「８５５５−シカゴ」として識別された駐車場について支払いを行うために駐車利用者によって使用することのできるクレジットカードの種類を指示するためにユーザによって使用することのできる「LOCATION MAINTENANCE-CREDIT CARDS （駐車場メインテナンス−クレジットカード）」画面、ウェブ・ページ又はウィンドウ１５００をサーバー１１０に表示、処理又は供給させることができる。画面１５００は、クレジットカードを受け入れるか又は受け入れないかどうかを指示できるチェック・ボックス１５０２を含んでいると共に、ユーザが駐車場「８５５５−シカゴ」でどの特定のカードを使用できるのかを指示できる表１５０４を含んでいる。異なる駐車場は、支払いを行うために駐車利用者によって使用するための異なる組合せのカードを受け入れることができる。
【００４８】
ユーザが「COUNTERS（カウンタ）」ボタン１３３８を選択することにより、図１８に例示されているように、ブロック１３０２で識別された駐車場「８５５５−シカゴ」で利用できるカウンタの種類を指示するためにユーザによって使用することのできる「LOCATION MAINTENANCE-COUNTERS （駐車場メインテナンス−カウンタ）」画面、ウェブ・ページ、パネル又はウィンドウ１５５０をサーバー１１０に表示、処理又は供給させることができる。画面１５００を介して供給された情報は、図８の表６０２に提示されるカウンタの種類を左右することができる。画面１５５０は、駐車場が情報を支持しているか否かをユーザが指示できるチェック・ボックス１５５２、及び駐車場「８５５５−シカゴ」でどの種類のカウンタが支持されるかをユーザが指示できる表１５５４を含んでいる。もしユーザが表１５５４に一層多くの行を付加する必要がある場合、ユーザはボタン１５５６を選択又はクリックすることができ、これにより表１５５４に別の行が追加される。ユーザはまた、表１５５４の「Del.（削除）」欄にエントリーを作り又は選択することによって、表１５５４の中のエントリー／行を削除することができる。
【００４９】
もしユーザが表１５５４に新しいカウンタの種類を作成したい場合、ユーザはボタン１５５８を選択又はクリックすることができ、これにより、サーバー１１０に、駐車場「８５５５−シカゴ」に関連した追加のカウンタの種類に関する情報をユーザが追加できるウィンドウ１５７０を供給又は表示させることができる。ユーザは、ボタン１５７４を選択することによって駐車場「８５５５−シカゴ」に追加のカウンタを付加し、「CREATE（作成）」ボタン１５７６を選択することによって作成された新しいカウンタを確認できる。ユーザは、「CANCEL（取り消し）」ボタン１５７８を選択又はクリックすることによって、表１５７０に供給された情報を取り消し又はリセットすることができる。
【００５０】
ユーザが「VOIDED TICKETS（無効駐車券）」ボタン１３４０を選択することにより、図１９に例示されているように、ブロック１３０２で識別された駐車場「８５５５−シカゴ」でなぜ無効駐車券を受け入れることができる理由を指示するためにユーザによって使用することのできる「LOCATION MAINTENANCE-VOIDED TICKETS （駐車場メインテナンス−無効駐車券）」画面、ウェブ・ページ又はウィンドウ１６００をサーバー１１０に表示、処理又は供給させることができる。画面１６００を介して供給された情報は、図９の表７０２に提示される無効駐車券についての理由を左右することができる。画面１６００は、駐車場が無効駐車券を支持又は許可しているかどうかをユーザが指示できるチェック・ボックス１６０２、及びどの理由により無効駐車券を駐車場「８５５５−シカゴ」で許可することができるのかをユーザが指示できる表１６０４を含んでいる。もしユーザが表１６０４に一層多くの行を付加する必要がある場合、ユーザはボタン１６０６を選択又はクリックすることができ、これにより表１６０６に別の行が追加される。ユーザはまた、表１６０４の「Del.（削除）」欄にエントリーを作り又は選択することによって、表１６０４の中のエントリー／行を削除することができる。
【００５１】
もしユーザが表１６０４に新しいカウンタの種類を作成したい場合、ユーザはボタン１６０８を選択又はクリックすることができ、これにより、サーバー１１０に、駐車場「８５５５−シカゴ」で無効駐車券を受け入れることができる追加の理由に関する情報をユーザが追加できるウィンドウ１６２０を供給又は表示させることができる。ユーザは、ボタン１６２２を選択することによって駐車場「８５５５−シカゴ」に追加の理由を付加し、「CREATE（作成）」ボタン１６２４を選択することによって作成された新しい理由を確認できる。ユーザは、「CANCEL（取り消し）」ボタン１６２６を選択又はクリックすることによって、表１６２０に供給された情報を取り消し又はリセットすることができる。
【００５２】
ユーザが「PRODUCTS（商品）」ボタン１６５０を選択することにより、図２０に例示されているように、ブロック１３０２で識別された駐車場「８５５５−シカゴ」に関連した駐車商品及びそれらの関連する駐車料金率を指示するためにユーザによって使用することができる「LOCATION MAINTENANCE-PRODUCTS （駐車場メインテナンス−商品）」画面、ウェブ・ページ、パネル又はウィンドウ１６５０をサーバー１１０に表示、処理又は供給させることができる。画面１６５０はまた、「Maintain Product Pricing（商品価格設定を保全）」リンクが画面２５０上で選択されたときに供給することができる。
【００５３】
画面１６５０を介して供給される情報が、図６の表４０２中に提示されるように駐車についての商品及び価格設定を左右することができる。或る商品を「お気に入り」と指定することにより、画面４００内の表４０２を介して情報を入力する人によって使用するための「お気に入り」リストにその駐車商品を追加することができる。もしユーザが表１６５２に一層多くの行を付加する必要がある場合、ユーザはボタン１６５６を選択又はクリックすることができ、これにより表１６５２に別の行が付加される。ユーザはまた、表１６５２の「Del.（削除）」欄にエントリーを作り又は選択することによって、表１６５２の中のエントリー／行を削除することができる。
【００５４】
もしユーザが表１６５２について新しい商品の種類を作成したい場合、ユーザはボタン１６５８を選択又はクリックすることができ、これにより、サーバー１１０に、駐車場「８５５５−シカゴ」で利用できる追加の商品の種類に関する情報をユーザが追加できるウィンドウ１６７０を供給又は表示させることができる。ユーザは、ボタン１６７２を選択することによって駐車場「８５５５−シカゴ」に追加の商品の種類を付加し、「CREATE（作成）」ボタン１６７４を選択することによって作成された新しい商品の種類を確認できる。ユーザは、「CANCEL（取り消し）」ボタン１６７６を選択又はクリックすることによって、表１６７０に供給された情報を取り消し又はリセットすることができる。
【００５５】
［サーバー］
次いで図２１を参照して説明すると、サーバー又はコントローラ１１０の代表的なブロック図が例示されている。サーバー１１０は、ユーザ装置及び／又は他の装置と通信するための１つ又は複数の通信ポート１７５２と通信関係にあるか又は該ポートを使用し又は含んでいるプロセッサ、マイクロチップ、中央処理装置又はコンピュータ１７５０を含むことができる。通信ポートは、ローカル・エリア・ネットワーク・アダプタ、無線通信装置、ブルーツゥース(Bluetooth )技術等のようなものを含むことができる。サーバー１１０はまた、サーバー１１０のために正確な時間及び日付を保ち、サーバー１１０で受信又は送信する通信のためのタイム・スタンプを生成する等々を行うための内部クロック素子１７５４を含むことができる。
【００５６】
希望により、サーバー１１０は、プリンタ、赤外線又はその他の送信器、アンテナ、可聴周波スピーカ、表示画面又はモニタ、テキスト−音声変換器などのような１つ又は複数の出力装置１７５６を含むと共に、バーコード読取り器又はその他の光学スキャナ、赤外線又はその他の光学受信器、アンテナ、磁気ストライプ読取り器、画像スキャナ、ローラー・ボール、タッチ・パッド、ジョイスティック、タッチ・スクリーン、マイクロフォン、コンピュータ・キーボード、コンピュータ・マウスなどのような１つ又は複数の入力装置１７５８を含むことができる。
【００５７】
上記に加えて、サーバー１１０は、情報、ソフトウエア、データベース、通信、装置ドライバなどを記憶するためのメモリ又はデータ記憶装置１７６０を含むことができる。メモリ又はデータ記憶装置１７６０は好ましくは、磁気、光学及び／又は半導体メモリの適切な組合せを有し、また例えば、読出し専用メモリ（ＲＯＭ）、ランダム・アクセス・メモリ（ＲＡＭ）、テープ・ドライブ、フラッシュ・メモリ、フレキシブル・ディスク・ドライブ、Ｚｉｐ（商標）ディスク・ドライブ、コンパクトディスク及び／又はハードディスクを含むことができる。サーバー１１０はまた別々のＲＯＭ１７６２及びＲＡＭ１７６４を含むことができる。
【００５８】
サーバー１１０内のプロセッサ１７５０及びデータ記憶装置１７６０は各々、例えば、（ａ）単一のコンピュータ又はその他の計算装置の中に完全に配置することができ、或いは（ｂ）シリアル・ポート・ケーブル、電話線又は無線周波トランシーバのような遠隔通信媒体によって互いに接続することができる。一実施形態では、サーバー１１０は、データベースを維持するための遠隔のサーバー・コンピュータに接続される１つ又は複数のコンピュータで構成することができる。
【００５９】
幾つかの実施形態では、充分なメモリ及び処理能力を持つ従来のパーソナル・コンピュータ、ホスト・コンピュータ又はワークステーションをサーバー１１０として使用することができる。一実施形態では、サーバー１１０はインターネット環境のためにウェブ・サーバーとして動作するか又はウェブ・サーバーを含む。サーバー１１０は好ましくは、通信及びデータベース探索を処理する際に、大容量取引処理を行い、かなりの数の数学的計算を実行することができる。インテル社によって製造されているPentium III （商標）又はPentium IV（商標）マイクロプロセッサのようなPentium （商標）マイクロプロセッサをプロセッサ１７５０に使用することができる。等価なプロセッサをモートローラ社、ＡＭＤ社又はサン・マイクロシステムズ社から入手できる。プロセッサ１７５０はまた、１つ又は複数のマイクロプロセッサ、コンピュータ、コンピュータ・システムなどで構成することができる。
【００６０】
ソフトウエアはサーバー１１０に常駐させて、動作させるか又は動作可能にしておくことができる。ソフトウエアはデータ記憶装置１７６０に格納しておくことができ、またサーバー、データベースなどを動作させるための制御プログラム１７６６を含むことができる。制御プログラム１７６６はプロセッサ１７５０を制御することができる。プロセッサ１７５０は好ましくは、制御プログラム１７６６の命令を実行して、本発明に従って、特に本書に詳述した方法に従って動作する。制御プログラム１７６６は圧縮した形式、コンパイルしていない形式及び／又は暗号化した形式で格納することができる。制御プログラム１７６６は更に、オペレーティング・システム、データベース管理システム、及びプロセッサ１７５０を周辺装置、データベースなどと連絡できるようにするための装置ドライバのような、不可欠であるプログラム要素を含んでいる。適切なプログラム要素が当業者に知られており、本書では詳しく説明する必要はない。
【００６１】
サーバー１１０はまた、ユーザ、ユーザ装置、駐車場、駐車商品、インターフェース構成、画面、通信などに関する情報を含み又は記憶することができる。例えば、１つ又は複数の駐車場に関する情報は、サーバー１１０又は別の装置又はエンティティによって使用するために駐車場情報データベース１７６８に格納することができる。１つ又は複数の駐車商品に関する情報は、サーバー１１０又は別の装置又はエンティティによって使用するために駐車商品情報データベース１７７０に格納することができる。幾つかの実施形態では、１つ又は複数のデータベースのうちの一部又は全てをサーバー１１０から遠隔に又はサーバー１１０の近くに格納し又はミラーリングすることができる。
【００６２】
本発明の実施形態によれば、制御プログラムの命令は、ＲＯＭ１７６２からＲＡＭ１７６４へのように、別のコンピュータ読出し可能な媒体から主メモリに読み込むことができる。制御プログラム内の複数列の命令の実行により、プロセッサ１７５０は本書に述べた処理段階を実施する。代替の実施形態では、本発明の方法の一部又は全てを具現化するためのソフトウエア命令の代わりに、或いはソフトウエアと共に、ハードワイヤード回路を使用することができる。このように、本発明の実施形態はハードウエア及びソフトウエアの如何なる特定の組合せに限定されない。
【００６３】
プロセッサ１７５０、通信ポート１７５２、クロック１７５４、出力装置１７５６、入力装置１７５８、データ記憶装置１７６０、ＲＯＭ１７６２及びＲＡＭ１７６４は、様々なやり方で直接に又は間接的に通信し又は接続することができる。例えば、プロセッサ１７５０、通信ポート１７５２、クロック１７５４、出力装置１７５６、入力装置１７５８、データ記憶装置１７６０、ＲＯＭ１７６２及びＲＡＭ１７６４は、母線１７７２を介して接続することができる。
【００６４】
サーバー１１０ についての特定の具現化手段及びハードウエア構成を例示してきたが、その他の具現化手段及びハードウエア／ソフトウエア構成も可能であり、且つ何ら特定の具現化手段及び及びハードウエア／ソフトウエア構成も必要としないことに留意されたい。従って、本書に述べた方法を具現化するサーバーについて、図２１に例示された構成要素の全てが必要とされるとは限らない。
【００６５】
［ユーザ装置］
前に述べたように、ユーザ装置は、これらに限定するものではないが、パーソナル・コンピュータ、携帯型コンピュータ、移動式又は固定式ユーザ・ステーション、ワークステーション、ネットワーク端末又はサーバー、電話、ポケットベル、公衆電話、ダム端末、携帯情報端末、ファクシミリ機械、二方向ペ−ジャー、無線装置、ケーブル・セットトップ・ボックスなどを含む、多数の異なる種類の装置のいずれかであるか、又はそれらを含むことができる。幾つかの実施形態では、ユーザ装置は、図２１に示されているサーバー１１０と同じ構造及び構成を有していて、サーバー１１０の構成要素の一部又は全てを含むことができる。
【００６６】
本発明の方法は、実社会、対象物及びそれらの相互関係を表す抽象的概念を生成するためにモジュラー・オブジェクトにより複雑なシステムのモデリングを可能にするオブジェクト指向言語を使用して開発されたコンピュータ・プログラムとして具体化することができる。しかしながら、本発明が汎用ハードウエア・システム又は専用コントローラと共に広範囲のプログラミング手法を使用して多数の異なるやり方で具現化できることが当業者には理解されよう。更に、上述の方法の段階の（全部ではないが）多くは随意選択であり、或いは本発明の範囲から逸脱せずに１つ又は複数の代替の順序又は系列で組み合わせ又は実行でき、また特許請求の範囲は、特に指示されていない限り、いずれかの特定の順序又は系列に限定するものではない。
【００６７】
上述した方法の各々は単一のコンピュータ、コンピュータ・システム、マイクロプロセッサなどで実行できる。更に、上述した方法の各々における２つ以上の段階は２つ以上のコンピュータ、コンピュータ・システム、マイクロプロセッサなどで実行でき、それらの一部又は全ては現地に又は遠隔に構成することができる。本方法は、任意の種類又は一揃えのコンピュータ・ソフトウエア、プログラム、命令の集合、コード、ＡＳＩＣ、又は特別設計のチップ、論理ゲート、或いはこのようなソフトウエア、プログラム、命令の集合又はコードを直接的に実行又は具現化する構造を持つその他のハードウエアにおいて具現化できる。コンピュータ・ソフトウエア、プログラム、命令の集合又はコードは、任意のコンピュータ使用可能又は読出し可能な媒体、又はその他のプログラム記憶装置、或いはフレキシブル・ディスク又はその他の磁気又は光学ディスクのような媒体、磁気又は光学テープ、ＣＤ−ＲＯＭ、ＤＶＤ、パンチカード、紙テープ、ハードディスク・ドライブ、Ｚｉｐ（商標）ディスク、フラッシュ又は光学メモリ・カード、マイクロプロセッサ、固体メモリ装置、ＲＡＭ、ＥＰＲＯＭ、又はＲＯＭに、格納可能、書込み可能又は保存可能とすることができる。
【００６８】
本発明をその様々な実施形態について説明したが、当業者には本発明の精神及び範囲から逸脱することなく上述の実施形態に対して様々な置換を行うことができることに気付かれよう。
【００６９】
本明細書及び請求の範囲で用いる「構成する」、「有している」、「有する」、「含んでいる」、「含む」などの用語は、記述した特徴、要素、整数、構成要素又は段階の存在を特定することを意図しているが、１つ又は複数の他の特徴、要素、整数、構成要素、段階、又はそれらのグループの存在又は追加を排除してはいない。
【図面の簡単な説明】
【００７０】
【図１】駐車場のネットワークのブロック図である。
【図２】本発明による方法の第１の実施形態のフローチャートである。
【図３】本発明による方法の第２の実施形態のフローチャートである。
【図４】本発明の幾つかの実施形態で使用することのできる代表的なインターフェースの例図である。
【図５】本発明の幾つかの実施形態で使用することのできる代表的なインターフェースの別の例図である。
【図６】本発明の幾つかの実施形態で使用することのできる代表的なインターフェースの別の例図である。
【図７】本発明の幾つかの実施形態で使用することのできる代表的なインターフェースの別の例図である。
【図８】本発明の幾つかの実施形態で使用することのできる代表的なインターフェースの別の例図である。
【図９】本発明の幾つかの実施形態で使用することのできる代表的なインターフェースの別の例図である。
【図１０】本発明の幾つかの実施形態で使用することのできる代表的なインターフェースの例図である。
【図１１】本発明の幾つかの実施形態で使用することのできる代表的なインターフェースの別の例図である。
【図１２】本発明の幾つかの実施形態で使用することのできる代表的なインターフェースの別の例図である。
【図１３】本発明の幾つかの実施形態で使用することのできる代表的なインターフェースの別の例図である。
【図１４】本発明の幾つかの実施形態で使用することのできる代表的なインターフェースの別の例図である。
【図１５】本発明の幾つかの実施形態で使用することのできる代表的なインターフェースの別の例図である。
【図１６】本発明の幾つかの実施形態で使用することのできる代表的なインターフェースの例図である。
【図１７】本発明の幾つかの実施形態で使用することのできる代表的なインターフェースの別の例図である。
【図１８】本発明の幾つかの実施形態で使用することのできる代表的なインターフェースの別の例図である。
【図１９】本発明の幾つかの実施形態で使用することのできる代表的なインターフェースの別の例図である。
【図２０】本発明の幾つかの実施形態で使用することのできる代表的なインターフェースの別の例図である。
【図２１】図１のサーバーについての代表的な構成要素のブロック図である。
【符号の説明】
【００７１】
１００  システム
１０２：  駐車場
１０４：  非駐車場
１０６：  駐車場
１０８：  通信ネットワーク
１１０：  サーバー
１１４：  ユーザ装置
１１６：  ユーザ装置
１１８：  ユーザ装置
１２０：  ユーザ装置
１２１：  データベース
１２２：  管理者装置
１２４：  アプリケーション
２００  フローチャート
２２０  フローチャート
【図１】
2004326795.tif 000003
【図２】
2004326795.tif 000004
【図３】
2004326795.tif 000005
【図４】
2004326795.tif 000006
【図５】
2004326795.tif 000007
【図６】
2004326795.tif 000008
【図７】
2004326795.tif 000009
【図８】
2004326795.tif 000010
【図９】
2004326795.tif 000011
【図１０】
2004326795.tif 000012
【図１１】
2004326795.tif 000013
【図１２】
2004326795.tif 000014
【図１３】
2004326795.tif 000015
【図１４】
2004326795.tif 000016
【図１５】
2004326795.tif 000017
【図１６】
2004326795.tif 000018
【図１７】
2004326795.tif 000019
【図１８】
2004326795.tif 000020
【図１９】
2004326795.tif 000021
【図２０】
2004326795.tif 000022
【図２１】
2004326795.tif 000023